(57)【要約】      （修正有）【課題】簡単な構成で製造が容易であり、慶弔用文字が印刷されて装飾性に富んだ葉状の慶弔用供花を提供する。【解決手段】表面に葉脈部２１を有する可撓性の葉状本体部２２と葉状本体部２２の端部に接続された軸支部２３とを備えた曲面状の葉状の慶弔用供花２０を形成する。さらに、透明な可撓性合成樹脂層の表面に金銀または赤色の慶弔用絵文字が印刷され、合成樹脂層の裏面に透明な熱硬化性接着剤層が積層された慶弔用絵文字シート２４を備える。可撓性の葉状本体部２２の葉脈部２１を有する表面に、慶弔用絵文字シート２４の熱硬化性接着剤層とが加熱・押圧されて接着固定され、曲面状の葉状本体部２２の表面に慶弔用絵文字を表示する。【選択図】図４
0003175218.tif 000002
【実用新案登録請求の範囲】
【請求項１】
表面に葉脈部を有する葉状本体部と前記葉状本体部の端部に接続された軸支部とを備えた葉状の慶弔用供花において、
合成樹脂層の表面に慶弔用絵文字が印刷され、前記合成樹脂層の裏面に熱硬化性接着剤層が積層された慶弔用絵文字シートを備えており、
前記葉状本体部の前記葉脈部を有する前記表面に、前記慶弔用絵文字シートの前記熱硬化性接着剤層が加熱・押圧されて接着固定され、前記葉状本体部の表面に慶弔用絵文字が表示されていることを特徴とする葉状の慶弔用供花。
【請求項２】
表面に葉脈部を有する可撓性の葉状本体部と前記葉状本体部の端部に接続された軸支部とを備えた曲面状の葉状の慶弔用供花において、
透明な可撓性合成樹脂層の表面に金銀または赤色の慶弔用絵文字が印刷され、前記透明な可撓性合成樹脂層の裏面に透明な熱硬化性接着剤層が積層された慶弔用絵文字シートを備えており、
前記可撓性の葉状本体部の前記葉脈部を有する前記表面に、前記慶弔用絵文字シートの前記熱硬化性接着剤層が加熱・押圧されて接着固定され、前記曲面上の葉状本体部の表面に金銀または赤色の慶弔用絵文字が表示されていることを特徴とする葉状の慶弔用供花。
【請求項３】
請求項１または請求項２に記載の葉状の慶弔用供花において、前記葉状本体部がユリ科の葉蘭の形状をしており、前記葉脈が前記葉状本体部の表面の長手方向に平行に形成されていることを特徴とする葉状の慶弔用供花。
【請求項４】
請求項１または請求項２に記載の葉状の慶弔用供花において、前記葉脈が前記葉状本体部の表面の長手方向の主脈と前記主脈から分岐する複数の側脈から形成されていることを特徴とする葉状の慶弔用供花。
【請求項５】
請求項１又は請求項２に記載の葉状の慶弔用供花において、前記葉状本体部の表面に前記慶弔用絵文字に加えて慶弔用図柄が表示されていることを特徴とする葉状の慶弔用供花。
【請求項６】
請求項１又は請求項２に記載の葉状の慶弔用供花と生花とが花瓶に挿入されていることを特徴とする慶弔用供花。
【請求項７】
請求項１又は請求項２に記載の葉状の慶弔用供花を、籠又は花瓶を模した縦半分割状の挿込容器を花輪骨格に着脱自在に装着させた慶弔用花輪の前記挿込容器内に複数本挿入されていることを特徴とする慶弔用供花。
【請求項８】
請求項１又は請求項２に記載の葉状の慶弔用供花を、上篭の容器内に生花が生けられ、下篭に、供物を収容する供物収容部と、造花等の装飾材を取り付ける装飾材の取付部と、弔電を掲示する掲示部とを備えた慶弔用供花の弔電が掲示された掲示部の左右に、装飾材として取り付けられていること特徴とする慶弔用供花。
【考案の詳細な説明】
【技術分野】
【０００１】
本考案は、葬式や開店祝い等に使用する慶弔用供花に関し、葉部に慶弔用の絵文字を付した葉状の慶弔用供花に関する。
【背景技術】
【０００２】
従来、慶弔時には多くの花環と共に、菓子や果物、又は缶詰等が盛り付けられた盛篭が供物として供えられている。このような花環としては、容器内に生花を生け、これを複数の支柱により形成した花台上に載置したものや、足台上に円形の花止基材を形成し、これに造花を取り付けたもの等が知られている。また、円形の花止基材の中央部に盛皿部を設け、菓子や果物を盛った盛皿をこの盛皿部に取り付け、その周囲に造花を取り付けた盛篭と花環が一体となったものも提案されている。
【０００３】
また、生花や造花を前面に飾る慶弔用花輪は、リング状の花輪枠体の前面のネットを利用し、また花輪枠体に直接的に生花や造花を差して取付けられるものもある。
【０００４】
特許文献１には、慶事又は弔事用の花輪において、籠又は花瓶を模した縦半分割状の挿込容器を形成し、当該容器内に細棒を差込み可能な発泡体から成る下層を形成し、当該下層にカイユウ、蓮の花等の花弁部と葉部と茎部からなる花体の先端を挿し込み、その挿し込まれた花体を注型した樹脂で支持する固定層を下層の上に形成し、当該挿込容器を花輪骨格に着脱自在に装着させた慶弔用花輪が開示されている。
【０００５】
また、特許文献２には、上篭と下篭を備えた二段の葬儀用供花であって、上篭は、バケツ状容器と枠体とを備え、該枠体中央部に供物が取り付けられるとともにバケツ状容器内に生花が生けられ、下篭は、供物を収容する供物収容部と、造花等の装飾材を取り付ける装飾材の取付部と、弔電を掲示する掲示部とを備え、供物収容部に供物が収容されるとともに装飾材の取付部に造花等の装飾材が取り付けられ、さらに掲示部に弔電が掲示された慶弔用供花が開示されている。
【０００６】
一方、非特許文献１には、絵文字りんごについて記載されており、りんご表面に可食性インクを用いて絵文字を印刷した絵文字入りんご、及び、りんごの表面にシートを張り付けて日光を浴びせ、りんごの日焼け痕を絵文字にした日焼けりんごが開示されている。
【０００７】
そして、特許文献３には、可食性インクの塗布方法が開示され、図７には、りんごの表面に可食性インクを用いて絵文字を印刷した実施例が示されている。
【先行技術文献】
【特許文献】
【０００８】
【特許文献１】実開平６−２５３２４号公報
【特許文献２】実用新案登録第３１３７９６９号
【特許文献３】特開２０１０−２３５７６５号公報
【非特許文献】
【０００９】
【非特許文献１】http://caloria.co.jp/tugaruringo/download/handbill_sweet-print20110310.pdf:絵文字りんご
【考案の概要】
【考案が解決しようとする課題】
【００１０】
従来の慶弔用供花では、慶弔時には多くの生花や造花が供物として供えられているが、これらの供物とは別に慶弔用の文字板が設けられて、慶弔用供花自体には、慶弔の意を表す文字を表示することはできず、慶弔用供花としての装飾性にも乏しいものであった。
【００１１】
また、供物として、例えば、果物自体に絵文字を付与するものとして、青森産のりんごの表面に、「寿」等の絵文字を記入する手法が知られているが、この手法は、りんごの表面に太陽光が照射しない部分を白抜きにするもの、あるいは、りんごの表面に可食性インクを用いて絵文字を印刷するものであって、文字入れに多大の時間と作業を有して製造が容易ではなく、また、凹凸の葉脈が形成された葉状の慶弔用供花への適用が難しいという問題点があった。また、慶弔用の文字も、日焼けりんごの場合は「白抜き」の文字に限られ、可食性インクでは、金銀や赤色など自由な色の可食性インクを準備して絵文字を入れることが困難で装飾性に乏しいという問題点があった。
【００１２】
本考案は、簡単な構成で製造が容易であり、しかも慶弔用として装飾性に富んだ葉状の慶弔用供花を提供することを目的とする。
【課題を解決するための手段】
【００１３】
本考案の葉状の慶弔用供花は、表面に葉脈部を有する葉状本体部と前記葉状本体部の端部に接続された軸支部とを備えた葉状の慶弔用供花において、合成樹脂層の表面に慶弔用絵文字が印刷され、前記合成樹脂層の裏面に熱硬化性接着剤層が積層された慶弔用絵文字シートを備えており、前記葉状本体部の前記葉脈部を有する前記表面に、前記慶弔用絵文字シートの前記熱硬化性接着剤層が加熱・押圧されて接着固定され、前記葉状本体部の表面に慶弔用絵文字が表示されていることを特徴とする。
【００１４】
また、本考案の葉状の慶弔用供花は、表面に葉脈部を有する可撓性の葉状本体部と前記葉状本体部の端部に接続された軸支部とを備えた曲面状の葉状の慶弔用供花において、透明な可撓性合成樹脂層の表面に金銀または赤色の慶弔用絵文字が印刷され、前記透明な可撓性合成樹脂層の裏面に透明な熱硬化性接着剤層が積層された慶弔用絵文字シートを備えており、前記可撓性の葉状本体部の前記葉脈部を有する前記表面に、前記慶弔用絵文字シートの前記熱硬化性接着剤層とが加熱・押圧されて接着固定され、前記曲面上の葉状本体部の表面に慶弔用絵文字が表示されていることを特徴とする。
【考案の効果】
【００１５】
本考案によれば、簡単な構成で製造が容易であり、しかも慶弔用として装飾性に富んだ葉状の慶弔用供花を提供することができる。
【図面の簡単な説明】
【００１６】
【図１】図１は本考案の実施例１の葉状の慶弔用供花の正面図である。
【図２】図２は本考案の実施例１の葉状の慶弔用供花のＡ−Ａ’断面図である。
【図３】図３は本考案の実施例１の葉状の慶弔用供花の製造工程を示す図である。
【図４】図４は本考案の実施例２の葉状の慶弔用供花の正面図である。である。
【図５】図５は本考案の実施例２の葉状の慶弔用供花のＢ−Ｂ’断面図である。
【図６】図６は本考案の実施例２の葉状の慶弔用供花の製造工程を示す図である。
【図７】図７は本考案の他の実施例の葉状の慶弔用供花の正面図である。
【図８】図８は本考案の葉状の慶弔用供花の使用例を示す図である。
【図９】図９は本考案の葉状の慶弔用供花の他の使用例を示す図である。
【図１０】図１０は本考案の葉状の慶弔用供花の更に他の使用例を示す図である。
【考案を実施するための形態】
【００１７】
以下、本考案の実施の形態について、図面を参照して説明する。
【実施例１】
【００１８】
図１は、本考案の実施例１の葉状の慶弔用供花の正面図である。図１において、１０は葉状の慶弔用供花、１１は葉脈部、１２は葉状本体部、１３は軸支部、１４は慶弔用絵文字シートを示している。
【００１９】
葉状の慶弔用供花１０は、葉脈部１１を有する葉状本体部１２と、葉状本体部１２に接続される軸支部１３を備えている。葉脈部１１を有する葉状本体部１２には、慶弔用絵文字シート１４が備えられている。実施例１では慶弔用絵文字として「祝」の字が用いられている。
【００２０】
図２は、本考案の実施例１の葉状の慶弔用供花のＡ−Ａ’断面図である。図２において、１０は葉状の慶弔用供花、１１は葉脈部、１２は葉状本体部、１３は軸支部、１５は合成樹脂層、１６は印刷絵文字、１７は熱硬化性接着剤を示している。
【００２１】
葉脈部１１を有する葉状本体部１２は、合成樹脂層１５の裏面に積層された熱硬化性接着剤１７により、葉状本体部１２の表面と葉脈部１１とが接着固定されており、合成樹脂層１５の表面に印刷された印刷絵文字１６により慶弔用絵文字が葉状の慶弔用供花１０の表面に形成されている。
【００２２】
図３は、本考案の実施例１の葉状の慶弔用供花の製造工程を示す図である。図３のステップＳ１０１において、葉脈部１１を有する葉状本体部１２と、合成樹脂層１５の表面に慶弔用絵文字１６が印刷され、合成樹脂層１５の裏面に熱硬化性接着剤１７が積層された慶弔用絵文字シート１４とが準備される。
【００２３】
ステップＳ１０２において、葉状本体部１２の葉脈部１１の上に、合成樹脂層１５の裏面に積層された熱硬化性接着剤１７が載置される。
【００２４】
続いて、ステップＳ１０３において、合成樹脂層１５の表面に印刷された印刷絵文字１６の上部に加熱・押圧部１８を配置し、葉脈部１１を有する葉状本体部１２の下部に支持台１９を配置して、慶弔用絵文字シート１４と葉脈部１１を有する葉状本体部１２とを加熱・押圧部１８と支持台１９により挟持した状態で、加熱・押圧部１８を上方から加熱・押圧する。
【００２５】
ステップＳ１０３において、慶弔用絵文字シート１４と葉脈部１１を有する葉状本体部１２とは、押圧により全体厚みが縮小されると共に、加熱により、一旦、溶融した熱硬化性接着剤１７の層内に、葉状本体部１２の葉脈部１１が埋め込まれた状態で熱硬化が進行して全体が固着される。
【００２６】
熱硬化による慶弔用絵文字シート１４と葉脈部１１を有する葉状本体部１２との固着が終了すると、ステップＳ１０４において、加熱・押圧部１８と支持台１９を除去して、慶弔用絵文字が表面に設けられた葉状の慶弔用供花が完成する。
【実施例２】
【００２７】
図４は、本考案の実施例２の葉状の慶弔用供花の正面図である。図４において、２０は葉状の慶弔用供花、２１は葉脈部、２２は曲面の葉状本体部、２３は軸支部、２４は慶弔用絵文字シートを示している。
【００２８】
葉状の慶弔用供花２０は、葉脈部２１を有する曲面の葉状本体部２２と、曲面の葉状本体部２２に接続される軸支部２３を備えている。葉脈部２１を有する曲面の葉状本体部２２には、慶弔用絵文字シート２４が備えられている。実施例２では、慶弔用絵文字として「寿」の字が用いられている。また、本実施例では、葉状本体部２２はユリ科の葉蘭の形状をしており、葉脈部２１では葉脈が葉状本体部２２の表面の長手方向に平行に形成されている
【００２９】
図５は、考案の実施例２の葉状の慶弔用供花のＢ−Ｂ’断面図である。図５において、２０は葉状の慶弔用供花、２１は葉脈部、２２は曲面の葉状本体部、２３は軸支部、２５は透明な可撓性合成樹脂層、２６は金銀又は赤色の慶弔用絵文字、２７は透明な熱硬化性接着剤を示している。
【００３０】
葉脈部２１を有する曲面の葉状本体部２２は、透明な可撓性合成樹脂層２５の裏面に積層された透明な熱硬化性接着剤２７により、曲面の葉状本体部２２の表面と葉脈部２１とが接着固定されており、透明な可撓性合成樹脂層２５の表面に印刷された金銀又は赤色の慶弔用絵文字２６により、金銀又は赤色の慶弔用絵文字が葉状の慶弔用供花２０の表面に形成されている。
【００３１】
図６は、本考案の実施例２の葉状の慶弔用供花の製造工程を示す図である。図６のステップＳ２０１において、葉脈部２１を有する曲面の葉状本体部２２と、透明な可撓性合成樹脂層２５の表面に金銀又は赤色の慶弔用絵文字２６が印刷され、透明な可撓性合成樹脂層２５の裏面に透明な熱硬化性接着剤２７が積層された慶弔用絵文字シート２４とが準備される。
【００３２】
ステップＳ２０２において、曲面の葉状本体部２２の葉脈部２１の上に、透明な可撓性合成樹脂層２５の裏面に積層された透明な熱硬化性接着剤２７が載置される。曲面の葉状本体部２２が曲面形状なので、曲面の葉状本体部２２の表面の葉脈部２１も曲面状に配置され、その一部が、透明な熱硬化性接着剤２７に接触する。
【００３３】
続いて、ステップＳ２０３において、透明な可撓性合成樹脂層２５の表面に印刷された金銀又は赤色の慶弔用絵文字２６の上部に加熱・押圧部２８を配置し、葉脈部２１を有する曲面の葉状本体部２２の下部に支持台２９を配置して、慶弔用絵文字シート２４と葉脈部２１を有する曲面の葉状本体部２２とを加熱・押圧部２８と支持台２９により挟持した状態で、加熱・押圧部２８を上方から押圧する。
【００３４】
押圧により、曲面の葉状本体部２２は、支持台２９の表面形状に従い、例えば、平面状に延伸し、曲面の葉状本体部２２の表面の全ての葉脈部２１が、透明な熱硬化性接着剤２７に接触する。
【００３５】
ステップＳ２０４において、透明な可撓性合成樹脂層２５の表面に印刷された金銀又は赤色の慶弔用絵文字２６の上部に加熱・押圧部２８を配置し、葉脈部２１を有する曲面の葉状本体部２２の下部に支持台２９を配置して、慶弔用絵文字シート２４と葉脈部２１を有する曲面の葉状本体部２２とを加熱・押圧部２８と支持台２９により挟持した状態で、加熱・押圧部２８を上方から押圧する。
【００３６】
ステップＳ２０４において、慶弔用絵文字シート２４と葉脈部２１を有する曲面の葉状本体部２２とは、平面状に延伸した状態で、更に押圧により全体厚みが縮小されると共に、加熱により、一旦、溶融した熱硬化性接着剤２７の層内に、平面状に延伸した曲面の葉状本体部２２の葉脈部２１が埋め込まれた状態で熱硬化が進行して全体が固着される。
【００３７】
熱硬化による慶弔用絵文字シート１４と葉脈部２１を有する曲面の葉状本体部２２との固着が終了し、ステップＳ２０５において、加熱・押圧部２８と支持台２９を除去すると、平面状に延伸した曲面の葉状本体部２２の曲面が復帰し、曲面の葉状本体部２２の表面の金銀又は赤色の慶弔用絵文字が表面に浮き出た葉状の慶弔用供花が完成する。
【実施例３】
【００３８】
図７は、本考案の他の実施例の葉状の慶弔用供花の正面図である。図７において、３０，４０，５０，６０は葉状の慶弔用供花、３１，４１，５１，６１は葉脈部、３２，４２，５２，６２は葉状本体部、３３，４３，５３，６３は軸支部、３４，４４，５４，６４は慶弔用絵文字シートを示し、３５は慶弔用図柄の一例を示している。
【００３９】
図７の（ａ）の葉状の慶弔用供花３０は、中央に一本の主脈を有し、主脈から複数の平行な側脈が分岐する葉脈部３１を備えた楕円形の葉状本体部３２に軸支部３３が接続され、「祝」の慶弔用絵文字を有する慶弔用絵文字シート３４と花状の慶弔用図柄３５を備えた実施例を示している。
【００４０】
図７の（ｂ）の葉状の慶弔用供花４０は、中央に一本の主脈を有し、主脈から複数の平行な側脈が分岐する葉脈部４１を備えた矢羽根状の葉状本体部４２に軸支部４３が接続され、「寿」の絵文字を有する慶弔用絵文字シート４４を備えた実施例を示している。
【００４１】
図７の（ｃ）の葉状の慶弔用供花５０は、中央に一本の主脈を有し、主脈から複数の曲線の側脈が分岐する葉脈部５１を備え、葉周辺部が変化する「楓の葉」形状の葉状本体部５２に軸支部５３が接続され、「慶」の絵文字を有する慶弔用絵文字シート５４を備えた実施例を示している。
【００４２】
また、図７の（ｄ）の葉状の慶弔用供花６０は、中央に一本の主脈を有し、主脈から複数の側脈が分岐し、更に各側脈から複数の支脈が分岐する葉脈部６１を備え、５枚の複数の小葉部を有する「菊の葉」形状の葉状本体部６２に軸支部６３が接続され、「弔」の絵文字を有する慶弔用絵文字シート６４を備えた実施例を示している。
【００４３】
以上の実施例は、例示であり、葉状本体部、葉脈部、軸支部の大きさ、形状、弾力性などの性質は、適宜、選択・変更が可能であり、また、葉状本体部、葉脈部、軸支部の材質も合成樹脂、金属、木材など任意の材質を選択でき、天然の植物の葉を適宜加工して用いることも可能である。
【００４４】
［使用例１］
図８は、本考案の葉状の慶弔用供花の使用例を示す図である。図８の使用例では、慶弔用花飾り８０は、実施例２に示す葉状の慶弔用供花２０と供花（水仙）８１とが花瓶８２に挿入されている。天然の花である供花（水仙）８１と、平行な複数の葉脈部２１を備えた曲面の葉状の葉状本体部２２に、慶弔用絵文字シート２４の金銀又は赤色の慶弔用絵文字が鮮やかに表示される。
【００４５】
［使用例２］
図９は、本考案の葉状の慶弔用供花の他の使用例を示す図である。図９の慶弔用供花は、慶弔用花輪９０、花輪フレーム９１、花９４、挿込容器９５、花体９９を備えている。挿込容器９５に挿入される花体９９の代わりに、挿込容器９５に複数の慶弔用絵文字シート２４を備えた葉状の慶弔用供花２０を挿入することができる。
【００４６】
［使用例３］
図１０は、本考案の葉状の慶弔用供花の更に他の使用例を示す図である。図１０の慶弔用供花１００は、支持スタンド１０３、供物１０５、容器１０６、供物１０８、生花１０９、名札１１０、装飾材１１１、弔電１１２を備えている。図１０の慶弔用供花１００は、下部に弔電１１２そのものを配置できるが、その左右に、「弔」の慶弔用絵文字を有する慶弔用絵文字シートを備えた葉状の慶弔用供花２０を配置することにより、より弔意を表すことができる。
【産業上の利用可能性】
【００４７】
なお、本考案の葉状の慶弔用供花は、上記実施例１〜３の形状、構造に限定されるものではなく、他の形状、構造のものにも適用可能である。また、その使用例も上記使用例１〜３に限定されるものではなく、他の使用にも適用可能である。また、本考案の慶弔用供花の製造工程を類似する他の慶弔用品その他の物品に適用することが可能である。
【符号の説明】
【００４８】
１０…葉状の慶弔用供花
１１…葉脈部
１２…葉状本体部
１３…軸支部
１４…慶弔用絵文字シート
１５…合成樹脂層
１６…慶弔用絵文字
１７…熱硬化性接着剤
１８…加熱・押圧部
１９…支持台
２０…葉状の慶弔用供花
２１…葉脈部
２２…曲面の葉状本体部
２３…軸支部
２４…慶弔用絵文字シート
２５…透明な可撓性合成樹脂層
２６…金銀又は赤色の慶弔用絵文字
２７…透明な熱硬化性接着剤
２８…加熱・押圧部
２９…支持台
３０，４０，５０，６０…葉状の慶弔用供花
３１，４１，５１，６１…葉脈部
３２，４２，５２，６２…葉状本体部
３３，４３，５３，６３…軸支部
３４，４４，５４，６４…慶弔用絵文字シート
３５…慶弔用図柄
８０…慶弔用花飾り
８１…供花（水仙）
８２…花瓶
９０…慶弔用花輪
９１…花輪フレーム
９４…花
９５…挿込容器
９９…花体
１００…慶弔用供花
１０３…支持スタンド
１０５…供物
１０６…容器
１０８…供物
１０９…生花
１１０…名札
１１１…装飾材
１１２…弔電
【図１】
0003175218.tif 000003
【図２】
0003175218.tif 000004
【図３】
0003175218.tif 000005
【図４】
0003175218.tif 000006
【図５】
0003175218.tif 000007
【図６】
0003175218.tif 000008
【図７】
0003175218.tif 000009
【図８】
0003175218.tif 000010
【図９】
0003175218.tif 000011
【図１０】
0003175218.tif 000012